(57)【要約】      （修正有）【課題】タッチパネル式の暗証番号入力装置に係り、暗証番号の入力が容易であると共に、暗証番号の解読を防止した暗証番号入力装置を提供する。【解決手段】表示部の割り当てた位置に所定のテンキーを表示させ、該テンキーによる暗証番号の入力操作で錠前を電気的に施解錠する制御部を備えたタッチパネル式の暗証番号入力装置であって、乱数発生部を備え、前記制御部は、暗証番号の入力に当たり、前記乱数発生部で発生させた乱数のテンキーを前記表示部にランダムに複数表示させ、表示された全テンキーの操作後、総てのテンキーを表示部の所定の位置に表示させることを特徴とする。【選択図】図３
0003151235.tif 000002
【実用新案登録請求の範囲】
【請求項１】
表示部の割り当てた位置に所定のテンキーを表示させ、該テンキーによる暗証番号の入力操作で錠前を電気的に施解錠する制御部を備えたタッチパネル式の暗証番号入力装置であって、
乱数発生部を備え、
前記制御部は、暗証番号の入力に当たり、前記乱数発生部で発生させた乱数のテンキーを前記表示部にランダムに複数表示させ、表示された全テンキーの操作後、総てのテンキーを表示部の所定の位置に表示させることを特徴とする暗証番号入力装置。
【請求項２】
前記表示部にテンキーをランダムに表示させる桁数は、外部操作手段によって０桁数から任意に設定，変更可能であることを特徴とする請求項１に記載の暗証番号入力装置。
【請求項３】
前記制御部は、テンキーの操作毎に、表示部に表示させた総てのテンキーを点滅させることを特徴とする請求項１または請求項２に記載の暗証番号入力装置。
【請求項４】
カード状記憶媒体に記憶された各種施解錠情報を読み取り可能な読み取り部を備え、前記制御部は、外部操作手段による起動に伴い、前記読み取り部でカード状記憶媒体の各種施解錠情報を読み取るカードリーダモードに設定されて前記表示部にカード認識マークを表示し、外部操作手段による切換え操作で、前記制御部は、前記乱数発生部で発生させた乱数のテンキーを前記表示部にランダムに複数表示させるテンキーモードに設定されることを特徴とする請求項１乃至請求項３のいずれか１項に記載の暗証番号入力装置。
【考案の詳細な説明】
【技術分野】
【０００１】
本考案はタッチパネル式の暗証番号入力装置に係り、詳しくはテンキーの操作で暗証番号を入力して、錠前を電気的に施解錠するテンキーロックシステムの暗証番号入力装置に関する。
【背景技術】
【０００２】
近年、集合住宅や一般住宅のエントランスや玄関、また、商業施設や公共施設の入出口には、扉または扉の近傍に装着された暗証番号入力装置のテンキー操作で暗証番号を入力して、錠前を電気的に施解錠するテンキーロックシステムが普及し、広く使用されている。
【０００３】
そして、昨今では、押しボタン式のテンキーをテンキー面に複数配列した暗証番号入力装置に代え、テンキーの数字を表示する表示部をタッチパネルで覆ったタッチパネル式の暗証番号入力装置（テンキーボード）が広く普及しており、このタッチパネル式は押しボタン式のようにテンキーの隙間にゴミが入り込むようなことがなく、メンテナンスがし易い利点を有している。
【０００４】
しかし、その反面、この種のタッチパネル式の暗証番号入力装置は、テンキー上のタッチパネルに触れて暗証番号を入力すると、タッチパネルの表面に指紋の後がついてしまう。
【０００５】
このため、表示部の割り当てられた位置に所定のテンキーを表示させてしまうと、通常に使用する中で、いつも使うテンキーの場所だけに指紋の後が残って暗証番号が解読されてしまう虞がある。
【０００６】
そこで、非特許文献１には、斯かる実情に鑑み、使う度に表示部のテンキーの数字の位置がランダムに変わるランダムテンキーボードが開示されている。
【考案の概要】
【考案が解決しようとする課題】
【０００７】
しかし乍ら、斯様に使う度にテンキーの数字の位置がランダムに変わってしまうと、例えば暗証番号の桁数が大きいような場合、暗証番号に対応するテンキーを探すのが煩わしく、操作がし難いといった不具合が指摘されていた。
【０００８】
本考案は斯かる実情に鑑み案出されたもので、暗証番号の入力が容易であると共に、暗証番号の解読を防止したタッチパネル式の暗証番号入力装置を提供することを目的とする。
【課題を解決するための手段】
【０００９】
斯かる目的を達成するため、請求項１に係る考案は、表示部の割り当てた位置に所定のテンキーを表示させ、該テンキーによる暗証番号の入力操作で錠前を電気的に施解錠する制御部を備えたタッチパネル式の暗証番号入力装置であって、乱数発生部を備え、前記制御部は、暗証番号の入力に当たり、前記乱数発生部で発生させた乱数のテンキーを前記表示部にランダムに複数表示させ、表示された全テンキーの操作後、総てのテンキーを表示部の所定の位置に表示させることを特徴とする。
【００１０】
そして、請求項２に係る考案は、請求項１に記載の暗証番号入力装置に於て、前記表示部にテンキーをランダムに表示させる桁数は、外部操作手段によって０桁数から任意に設定，変更可能であることを特徴とし、請求項３に係る考案は、請求項１または請求項２に記載の暗証番号入力装置に於て、前記制御部は、テンキーの操作毎に、表示部に表示させた総てのテンキーを点滅させることを特徴とする。
【００１１】
また、請求項４に係る考案は、請求項１乃至請求項３のいずれか１項に記載の暗証番号入力装置に於て、カード状記憶媒体に記憶された各種施解錠情報を読み取り可能な読み取り部を備え、前記制御部は、外部操作手段による起動に伴い、前記読み取り部でカード状記憶媒体の各種施解錠情報を読み取るカードリーダモードに設定されて前記表示部にカード認識マークを表示し、外部操作手段による切換え操作で、前記制御部は、前記乱数発生部で発生させた乱数のテンキーを前記表示部にランダムに複数表示させるテンキーモードに設定されることを特徴とする。
【考案の効果】
【００１２】
請求項１に係る考案によれば、タッチパネル上に、いつも使うテンキーの場所だけに指紋の後が残ってしまうことがなく、タッチパネル上に使用者の指紋の痕をランダムに散りばめることが可能となるため、暗証番号が解読される虞がなくなり防犯性に優れた利点を有する。
【００１３】
そして、請求項２に係る考案によれば、使用者が暗証番号入力装置を０桁数設定とすれば、直ちにテンキーによる暗証番号の入力が可能であるから、既述した防犯性と利便性のバランスを使用者自体が選べる利点を有する。
【００１４】
更に、請求項３に係る考案によれば、タッチパネル上のテンキーの操作毎に、点灯している総てのテンキーが瞬間的に点滅して、テンキーが反応した際に表示部が恰もフラッシュする印象を使用者に与えるため、使用者はテンキーが確実に操作できたことを認識でき、この結果、テンキーの誤操作を確実に防止することが可能となる。
【００１５】
そして、請求項４に係る考案によれば、暗証番号入力装置をテンキーボードと共に、カードリーダとしても利用することができる。
【図面の簡単な説明】
【００１６】
【図１】請求項１乃至請求項４の一実施形態に係る暗証番号入力装置の正面図である。
【図２】カードリーダモード時の表示状態を示す暗証番号入力装置の正面図である。
【図３】暗証番号入力装置の制御ブロック図である。
【図４】２桁数設定時のテンキーの表示状態を示す暗証番号入力装置の正面図である。
【図５】４桁数設定時のテンキーの表示状態を示す暗証番号入力装置の正面図である。
【図６】６桁数設定時のテンキーの表示状態を示す暗証番号入力装置の正面図である。
【図７】全テンキーの表示状態を示す暗証番号入力装置の正面図である。
【図８】解錠時のテンキーの表示状態を示す暗証番号入力装置の正面図である。
【考案を実施するための形態】
【００１７】
以下、本考案の実施形態を図面に基づいて説明する。
【００１８】
図１は請求項１乃至請求項４の一実施形態に係るタッチパネル式の暗証番号入力装置の正面図、図３は該暗証番号入力装置の制御ブロック図を示し、本実施形態は、タッチパネル上のテンキーの操作で暗証番号を入力して、錠前を電気的に施解錠するテンキーロックシステムの暗証番号入力装置に係り、この暗証番号入力装置は室外機として扉または扉近傍の室外側に取り付けられるものである。
【００１９】
図１に於て、１は暗証番号入力装置３のケース、５は表面がタッチパネル７で覆われた表示部（ディスプレイ）で、表示部５の下部に押しボタン式の一つの起動ボタン９が装着されている。
【００２０】
そして、使用者が室内への入室の際に起動ボタン９を一回押すと、図３に示す制御部１１は「カードリーダモード」に設定されて、図２の如く表示部５の中央にカード認識マーク１３を表示させるようになっている。そして、この「カードリーダモード」に於て、一例として、使用者が錠前の施解錠に必要な施解錠情報を記憶させた非接触ＩＣチップ内蔵カード（図示せず）をカード認識マーク１３に近づけると、図３に示す情報読取部１５が該カードから施解錠情報を読み取るようになっており、制御部１１は、該情報読取部１５が読み取った施解錠情報を予め記憶部１７に登録された情報と照合して正当性を判別し、正常に認証した場合に、そのときの錠前の状態（扉の開閉状態、錠前の施解錠状態）に応じて錠前のアクチュエータ１９を電気的に施解錠制御するようになっている。
【００２１】
一方、使用者が室内への入室の際に起動ボタン９を二回続けて押すと、制御部１１は「テンキーモード」に設定されて、図４乃至図６の如く、暗証番号の入力に当たり、先ず、表示部５に複数のテンキー２１をランダムに表示させるようになっている。
【００２２】
即ち、図７に示すように表示部５には、その周縁に沿って個々に割り当てられた所定の位置に、夫々、「０」〜「９」の数字と「＃」，「＊」のマークのテンキー２１がＬＥＤによって点灯，表示されるようになっている。
【００２３】
一方、前記記憶部１７には、一例として予め工場出荷段階で「１２３４」の暗証番号が登録されており、入室の際に使用者が表示部５に表示されたタッチパネル７上のテンキー２１に触れて暗証番号「１２３４」を入力すると、制御部１１が錠前を電気的に施解錠するように構成されているが、既述したようにタッチパネル７上に表示されたテンキー２１に触れて暗証番号を入力すると、通常に使用する中でいつも使う暗証番号のテンキーの場所だけに指紋の後が残って暗証番号が解読されてしまう虞がある。
【００２４】
そこで、斯かる対策として、図３に示すように本実施形態は、乱数発生部２３と室内機（図示せず）側にセットボタン（外部操作手段）２５を備え、制御部１１が「テンキーモード」に設定されると、該制御部１１は、予め該セットボタン２５で０／２／４／６桁の設定した数だけ乱数発生部２３で乱数を発生させて、その乱数のテンキー２１を表示部５にランダムに点灯，表示させるようになっている。そして、表示された全テンキー２１が操作されると、制御部１１は図７に示すように総てのテンキー２１を表示部５の所定位置に表示させて、暗証番号の入力を可能とするようになっている。
【００２５】
次に、表示部５にランダムにテンキー２１を点灯，表示させる桁数の設定方法について説明する。
【００２６】
先ず、開錠状態（扉の開いている状態）で、室内機のセットボタン２５を５秒間押す。
【００２７】
而して、室内機及び暗証番号入力装置３には、図示しないスピーカからキー操作音が鳴るように構成されており、斯様にセットボタン２５が押されると、制御部１１はキー操作音発生部２７に指令を送出して”ピッ”と短く操作音を一度発生させ、５秒後に  ”ピピッ”と短い操作音を２度発生させる。
【００２８】
すると、図７に示すように制御部１１はタッチパネル７（表示部５）上に全テンキー２１を点灯，表示させ、この状態で使用者が対応数字を押し、即ち、０設定であればタッチパネル７上の「０」のテンキー２１を、２桁設定であれば「２」のテンキー２１を、４桁設定であれば「４」のテンキー２１を、更に６桁設定であれば「６」のテンキー２１を押し、最後に「＊」のテンキー２１を押すと、桁数の設定操作が完了するようになっている。
【００２９】
従って、２桁設定であれば、使用者が入室の際に起動ボタン９を二回続けて押すと、「テンキーモード」に設定された制御部１１は、設定した２桁の数の乱数を乱数発生部２３で発生させて、その乱数のテンキー２１を表示部５に点灯，表示させる。図４は、乱数発生部２３が「５」と「９」の乱数を発生させたために、制御部１１が「５」と「９」のテンキー２１をタッチパネル７（表示部５）上に点灯，表示させた状態を示しており、図示しないが乱数発生部２３が例えば「３」と「８」の乱数を発生させると、制御部１１は「３」と「８」のテンキー２１をタッチパネル７（表示部５）上に点灯，表示させることとなる。
【００３０】
そして、使用者が斯様に表示された「５」と「９」のテンキー２１を順不同で総て操作すると、制御部１１は、図７に示すように総てのテンキー２１をタッチパネル７（表示部５）上の所定位置に表示させて、暗証番号の入力を可能とするようになっている。
【００３１】
図５は４桁設定時の表示部５の表示状態を示し、この図５は、乱数発生部２３が「１」，「２」，「４」，「０」の乱数を発生させたために、制御部１１がタッチパネル７（表示部５）上に「１」，「２」，「４」，「０」のテンキー２１を点灯，表示させた状態を示しており、使用者がタッチパネル７（表示部５）上の総ての「１」，「２」，「４」，「０」のテンキー２１を順不同で操作すると、図７に示すように制御部１１は、総てのテンキー２１をタッチパネル７（表示部５）上の所定位置に表示させて、暗証番号の入力を可能とする。
【００３２】
同様に、図６は６桁設定時の表示部５の表示状態を示し、この図６は、乱数発生部２３が「１」，「５」，「６」，「７」，「８」，「０」の乱数を発生させたために、制御部１１がタッチパネル７（表示部５）上に「１」，「５」，「６」，「７」，「８」，「０」の６桁数のテンキー２１を点灯，表示させたもので、使用者が総てのテンキー２１を順不同で操作すると、図７に示すように制御部１１は、総てのテンキー２１をタッチパネル７（表示部５）上の所定位置に表示させて、暗証番号の入力を可能とする。
【００３３】
一方、使用者がこのような防犯性を必要としない場合には、前記０設定を予め選択すればよく、この０設定を選択することで、使用者が入室の際に起動ボタン９を続けて二回押すと、「テンキーモード」に設定された制御部１１は、図７に示すようにタッチパネル７（表示部５）上に全テンキー２１を直ちに点灯，表示させるようになっている。
【００３４】
また、従来のこの種の暗証番号入力装置と同様、テンキー２１の操作音は、テンキー２１の操作毎に鳴る設定、或いは操作音を消す設定にセットボタン２５等の切換え操作によってできるように構成されているが、本実施形態は斯かる構成に加え、制御部１１は、タッチパネル７（表示部５）上のテンキー２１の操作毎に、点灯している総てのテンキー２１を瞬間的に点滅させて、テンキー２１が反応した際に恰も表示部５の画面がフラッシュする如き構成となっている。
【００３５】
そして、図８は電気錠の解錠時の暗証番号入力装置３の表示状態を示し、テンキー２１の操作で総ての暗証番号が正常に入力されると、制御部１１は前記アクチュエータ１９を解錠制御すると同時に、図８の如く総てのテンキー２１とカード認識マーク１１、そして、左右のテンキー２１に沿って上下方向に複数のＬＥＤ２９を点灯させるようになっており、該ＬＥＤ２９は表示部５の上下方向に配列されている。
【００３６】
尚、従来の暗証番号入力装置と同様、暗証番号「１２３４」の変更も可能で、一例として本実施形態は、開錠状態で室内機のセットボタン２５を短く一回押すと、図７の如く総てのテンキー２１がタッチパネル７（表示部５）上の所定位置に表示されるようになっている。そして、先ず、テンキー２１を操作して古い暗証番号を入力し、次いで新たな暗証番号をテンキー２１で二度入力した後、セットボタン２５を押すと、制御部１１は新たな暗証番号を記憶部１７に設定，変更するようになっている。
【００３７】
本実施形態に係る暗証番号入力装置３はこのように構成されているから、使用者が室内への入室の際に起動ボタン９を一回押すと、「カードリーダモード」に設定された制御部１１は図２の如く表示部５の中央にカード認識マーク１３を表示する。
【００３８】
従って、使用者が非接触ＩＣチップ内蔵カードをカード認識マーク１３に近づけて正常に施解錠情報が認証されると、制御部１１の指令でアクチュエータ１９が錠前を解錠する。
【００３９】
一方、非接触ＩＣチップ内蔵カードによる解錠に代え、使用者が室内への入室の際に起動ボタン９を二回続けて押すと、制御部１１は「テンキーモード」に設定される。
【００４０】
そして、既述したように０／２／４／６桁の設定のうち、例えば予め６桁数の設定がなされていると、制御部１１は６桁の数の乱数を乱数発生部２３で発生させて、その乱数のテンキー２１を図６の如く表示部５に点灯，表示させる。そして、使用者が図６の如く点灯，表示された「１」，「５」，「６」，「７」，「８」，「０」の６桁数のテンキー２１を順不同で総て操作すると、図７に示すように制御部１１は、総てのテンキー２１をタッチパネル７（表示部５）上の所定位置に表示させて、暗証番号の入力を可能とする。
【００４１】
尚、テンキー２１の操作音は、テンキー２１の操作毎に鳴る設定／操作音を消す設定に応じて鳴ったり鳴らなかったりするが、制御部１１は、タッチパネル７（表示部５）上のテンキー２１の操作毎に、点灯している総てのテンキー２１を瞬間的に点滅させるため、テンキー２１が反応した際に、表示部５が恰もフラッシュする印象を使用者に与えることとなる。
【００４２】
このように本実施形態に係る暗証番号入力装置３は、カードリーダとして利用できると共に、テンキーボードとしても利用できる。
【００４３】
そして、本実施形態は、使用者が予め２／４／６桁の設定を行うと、テンキー２１による暗証番号の入力に当たり、設定された桁数の乱数を乱数発生部２３で発生させて、発生させた乱数のテンキー２１を表示部５にランダムに表示させ、表示された全テンキー２１の操作後、総てのテンキー２１をタッチパネル７（表示部５）上の所定の位置に表示させるように構成したので、いつも使うテンキーの場所だけに指紋の後が残ってしまうことがなく、タッチパネル７上に使用者の指紋の痕をランダムに散りばめることが可能となり、暗証番号が解読される虞がなくなり防犯性に優れた利点を有する。
【００４４】
而も、使用者が暗証番号入力装置３を０桁数設定とすれば、直ちにテンキー２１による暗証番号の入力が可能であるから、既述した防犯性と利便性のバランスを使用者自体が選べる利点を有する。
【００４５】
また、本実施形態に係る暗証番号入力装置３は、非特許文献１に開示されたランダムテンキーボードと異なり、使う度にテンキー２１の数字の位置がランダムに変わってしまうことがないため、暗証番号の入力操作がし易い利点を有する。
【００４６】
更に、従来、この種のタッチパネル式の暗証番号入力装置は、操作音を消した設定時や使用場所がうるさい処等でテンキーを操作する場合、タッチパネルのため、押しボタン式と違い押し込んだ感覚がなく、また、音も聞こえないため、誤操作をし易い不具合があるが、本実施形態に係る暗証番号入力装置３は、タッチパネル７（表示部５）上のテンキー２１の操作毎に、点灯している総てのテンキー２１が瞬間的に点滅して、テンキー２１が反応した際に表示部５が恰もフラッシュする印象を使用者に与えるため、使用者はテンキー２１が確実に操作できたことを認識でき、この結果、テンキー２１の誤操作を確実に防止することが可能となる。
【符号の説明】
【００４７】
３  暗証番号入力装置
５  表示部
７  タッチパネル
９  起動ボタン
１１  制御部
１３  カード認識マーク
１５  情報読取部
１７  記憶部
２１  テンキー
２３  乱数発生部
２５  セットボタン
２７  キー操作音発生部
【先行技術文献】
【非特許文献】
【００４８】
【非特許文献１】「キーレス錠」  http://www.miwa-lock.co.jp/product/11_cardlock.htm  検索日 平成２１年２月１６日
【図１】
0003151235.tif 000003
【図２】
0003151235.tif 000004
【図３】
0003151235.tif 000005
【図４】
0003151235.tif 000006
【図５】
0003151235.tif 000007
【図６】
0003151235.tif 000008
【図７】
0003151235.tif 000009
【図８】
0003151235.tif 000010
【手続補正書】
【提出日】平成21年4月6日(2009.4.6)
【手続補正１】
【補正対象書類名】図面
【補正対象項目名】全図
【補正方法】変更
【補正の内容】
【図１】
0003151235.tif 000011
【図２】
0003151235.tif 000012
【図３】
0003151235.tif 000013
【図４】
0003151235.tif 000014
【図５】
0003151235.tif 000015
【図６】
0003151235.tif 000016
【図７】
0003151235.tif 000017
【図８】
0003151235.tif 000018